(57)【要約】【課題】本発明は、バッテリーパックが充電完了後に充電装置に取り付けたままでも、充電電流が流れることがなく、バッテリーパックの電池劣化を防止することができる充電装置を提供する。【解決手段】充電装置において、二次充電制御回路２２が、バッテリーパック２への充電が完了したときに、一次スイッチング制御回路２８をフィードバック制御し、逆流防止ダイオード１８の入力側の電圧をバッテリーパック２の電圧より下げる。【選択図】図４
2009017648.tif 000002
【特許請求の範囲】
【請求項１】
接続されるバッテリーを充電する充電装置であって、
前記バッテリーを充電する直流電力を生成する直流電力生成手段と、
前記直流電力生成手段と前記バッテリーとの間に接続される逆流防止手段と、
前記バッテリーが充電完了状態となったときに、前記逆流防止手段に入力される直流電圧が前記バッテリーの電圧よりも低い電圧となるように制御する制御手段とを有することを特徴とする充電装置。
【請求項２】
前記直流電力生成手段と前記逆流防止手段との間に接続される半導体スイッチを有し、前記バッテリーが充電完了状態となったときに、前記半導体スイッチをオフすると共に、前記制御手段は前記逆流防止手段に入力される直流電圧が前記バッテリーの電圧よりも低い電圧となるように、前記半導体スイッチに入力される直流電圧を制御することを特徴とする請求項１に記載の充電装置。
【請求項３】
前記直流電力生成手段は、電圧を変換するトランスを有するものであって、前記制御手段は、前記トランスの一次側コイルをスイッチングすることで、前記逆流防止手段に入力される直流電圧が前記バッテリーの電圧よりも低い電圧となるように制御することを特徴とする請求項１または２記載の充電装置。
【請求項４】
前記制御手段は、前記逆流防止手段の入力側と前記バッテリーの負極に接続されるラインとの間を接続することで、前記逆流防止手段に入力される直流電圧が前記バッテリーの電圧よりも低い電圧となるように制御することを特徴とする請求項１または２記載の充電装置。
【発明の詳細な説明】
【技術分野】
【０００１】
本発明は、充電装置に関し、特に、電子機器に装着して電力を供給することが可能なバッテリーパックに対して充電を行う充電装置に関する。
【背景技術】
【０００２】
デジタルカメラや携帯電話等の電子機器が安価に購入できることから利用者が増加し、これら電子機器に対応するバッテリーパックの充電装置を複数所有する状況が生まれている。そのため、バッテリーパックを充電装置に装着したままの状態にしておく利用者が増え、バッテリーパックの長寿命化や省エネ化を目的として新しい充電装置が提案されている。
【０００３】
例えば、電源回路の出力で二次電池を充電する充電方法において、電池電圧または電池温度を検出し、満充電と判断した点で電源回路の動作を停止し、充電を終了させる技術が開示されている（例えば、特許文献１参照）。かかる技術では、充電装置の待機電力の削減を目的として、充電装置の一次ＩＣのラッチ動作を使用している。また、タイマーにより充電を終了させる方法も提案されている。
【特許文献１】特開２００５−２２４０１６号公報
【発明の開示】
【発明が解決しようとする課題】
【０００４】
しかしながら、上記特許文献１に記載された従来技術では、充電装置の一次ＩＣのラッチ動作を使用していることから別の電池を充電する場合、ＡＣコンセントを一度抜いて再度取り付けることが必要になる。また、タイマーにより充電を終了させる方法では、電池を満充電にできるが電池への過充電を引き起こす可能性がある。
【０００５】
本発明は、上記問題に鑑みて成されたものであり、バッテリーパックが充電完了後に充電装置に取り付けたままでも、充電電流が流れることがなく、バッテリーパックの電池劣化を防止することができる充電装置を提供することを目的とする。
【課題を解決するための手段】
【０００６】
上記目的を達成するために、本発明の充電装置は、接続されるバッテリーを充電する充電装置であって、前記バッテリーを充電する直流電力を生成する直流電力生成手段と、前記直流電力生成手段と前記バッテリーとの間に接続される逆流防止手段と、前記バッテリーが充電完了状態となったときに、前記逆流防止手段に入力される直流電圧が前記バッテリーの電圧よりも低い電圧となるように制御する制御手段とを有することを特徴とする。
【発明の効果】
【０００７】
本発明によれば、バッテリーパックが充電完了後に充電装置に取り付けたままでも、充電電流が流れることがなく、バッテリーパックの電池劣化を防止することができる。
【発明を実施するための最良の形態】
【０００８】
以下、本発明の実施の形態を図面を参照して説明する。
【０００９】
［第１の実施形態］
図１は、本発明の第１の実施形態に係る充電装置と該充電装置に装着可能なバッテリーパックの回路構成の一例を示す概略図である。
【００１０】
まず、バッテリーパックについて説明する。
【００１１】
バッテリーパック２は、定電圧／定電流充電を行う充電装置１に着脱可能に構成され、リチウムイオン二次電池セル３，４と、電池保護回路５と、半導体スイッチ６，７と、サーミスタ８とを備える。
【００１２】
リチウムイオン二次電池セル３，４は、同じ特性で同じ容量のリチウムイオン二次電池であり、直列に接続されている。電池保護回路５は、半導体スイッチ６，７のオン／オフ制御を行って、リチウムイオン二次電池セル３，４の過放電防止、過電圧充電防止、及びバッテリーパック２の過電流放電を防止すべく、これらを常に監視している。サーミスタ８は、半導体スイッチ６，７及びリチウムイオン二次電池セル３，４の発熱を検知する。
【００１３】
バッテリーパック２は、デジタルカメラやＰＤＡ（Personal Digital Assistant）等の電子機器（不図示）に着脱可能に構成され、当該電子機器の電源として機能する。
【００１４】
次に、充電装置について説明する。
【００１５】
充電装置１は、バッテリーパック２の正極に接続する正極端子と、負極に接続する負極端子と、サーミスタ８に接続する温度端子とを備える。また、充電装置１は、外部のＡＣ（Alternating Current：交流）電源に接続し、該ＡＣ電源からの交流電力をフィルタ９、整流回路１０、平滑回路１１により整流して直流電力に変換する。
【００１６】
平滑回路１１から出力された直流電力は、抵抗器１２を通して一次スイッチング制御回路２８に加えられる。一次スイッチング制御回路２８は、トランス１４の一次側コイルに接続された半導体スイッチ２９をスイッチング制御する。平滑回路１１から出力された直流電力がトランス１４の一次側コイルに加えられ、半導体スイッチ２９のスイッチングによりトランス１４の二次側コイルに励起電力が発生する。
【００１７】
スナバー回路１３は、トランス１４の一次側コイルで発生した過電圧による半導体スイッチ２９の破壊を防止する回路である。トランス１４は、直流電力を変圧する変圧器であるが、交流電力が充電装置１の出力に漏れないように一次側コイルと二次側コイルとが絶縁されている。整流ダイオード１５と平滑コンデンサ１６は、トランス１４の二次側コイルに発生する励起電力から、充電及び制御に必要な二次側回路の直流電力を生成している。二次側回路の直流電力は、基準電圧回路１９及び二次充電制御回路２２に加えられ、これらを起動させる。
【００１８】
バッテリーパック２が充電装置１に装着されると、二次充電制御回路２２がサーミスタ８との接続を検知し、半導体スイッチ１７がオンして、半導体スイッチ１７に接続された逆流防止ダイオード１８を通してバッテリーパック２に生成された直流電力が供給される。逆流防止ダイオード１８（逆流防止手段）は、バッテリーパック２からの逆流電流が流れないように配置されている。本実施の形態では、フィルタ９から半導体スイッチ１７までの回路が直流電力生成手段に相当する。
【００１９】
抵抗器２０，２１により分割される電圧は、バッテリーパック２に加わる充電電圧の分割電圧である。この充電電圧は、二次充電制御回路２２により監視されている。バッテリーパック２に供給される充電電流は、抵抗器２３の両端電圧を検知することで二次充電制御回路２２により監視されている。二次充電制御回路２２は、これら充電電圧と充電電流により、バッテリーパックパック２の充電状態を判断し、フォトカプラ２５を制御している。
【００２０】
また、二次充電制御回路２２は、フォトカプラ２５と一次スイッチング制御回路２８をフィードバック制御することにより、二次側回路で必要な最低電圧となるように制御する。また、二次充電制御回路２２は、ＬＥＤで構成された表示部（不図示）に接続し、バッテリーパック２の充電状態をＬＥＤの点滅、点灯で表示させる。
【００２１】
フォトカプラ２５は、フォトダイオードとフォトトランジスタで構成され、一次側回路と二次側回路を絶縁しつつ、二次側回路で必要な電力となるように一次側回路に制御信号をフィードバックしている。フォトカプラ２５内のフォトダイオードは、抵抗器２４を介して直流電力を得ており、二次充電制御回路２２によりその直流電力が増減されて、強弱のある光を発する。フォトカプラ２５内のフォトトランジスタは、光の強弱でインピーダンスが変化するもので、フォトダイオードからの受光に基づいて、一次スイッチング制御回路２８で発生させている信号のパルス幅を変化させている。
【００２２】
一次スイッチング制御回路２８は、その起動電圧を抵抗器１２を介して得た後、トランス１４の三次コイルから整流ダイオード２６と平滑コンデンサ２７で得られる直流電力により動作し続ける。整流ダイオード２６と平滑コンデンサ２７により得られた直流電力は、二次側回路の負荷が過剰な場合、過電圧検知の電圧としても使用される。
【００２３】
上記構成の充電回路により、一次スイッチング制御回路２８で発生させている信号のパルス幅は二次充電制御回路２２でフィードバック制御され、フォトカプラ２５を通して制御されている。
【００２４】
充電完了の判断は、充電電圧と充電電流の変化で行われる。二次充電制御回路２２は、充電電圧が既定電圧値以上で充電電流が既定電流値以下になったとき、充電完了と判断する。二次充電制御回路２２が充電完了と判断すると、半導体スイッチ１７をオフにすると共に、半導体スイッチ１７の前の直流電圧Ｖｐｓを下げるように、フォトカプラ２５を介して一次スイッチング制御回路２８をフィードバック制御する。これにより、逆流防止ダイオード１８の入力側の電圧Ｖｉｎを規定電圧値Ｖａに下げる。
【００２５】
バッテリーパック２の充電が完了して半導体スイッチ１７がオフしても、実際は、約１００ＫΩ程度の抵抗値が接続された状態である。従来の充電装置では、半導体スイッチ１７の前の直流電圧とバッテリーパック２の電池電圧に差があれば、充電電流が小さくなるものの、バッテリーパック２を充電装置１から外さない限り充電が続くことになる。
【００２６】
このような充電の継続を防ぐために、半導体スイッチ１７に代えて機械式の電磁リレーを使用して接点を切り離す方法があるが、接点のチャタリングや耐久性を考慮する必要があることから、チャタリング防止及び耐久性向上のための対策回路が必要になる。
【００２７】
一般に、図示のような構成のバッテリーパック２では、過電圧時に充電電流を切る過電圧保護動作が行われる。また、バッテリーパック２内のリチウムイオン二次電池セル３，４は、該電池セル内の圧力が異常に上昇したときの保護として、電流遮断弁機構が内蔵されている。従来の充電装置では、バッテリーパック内で過電圧保護動作が行われるかまたは電池セルの電流遮断弁機構が動作している状態にあるときは、充電電流が流れず、バッテリーパックの開放電圧が出ない状態であるため、充電完了状態と同じであると判断される。
【００２８】
本実施の形態の充電装置は、充電完了状態となったときに逆流防止ダイオード１８の入力側の電圧Ｖｉｎを電池電圧Ｖｂｐより下げることで、充電完了後にバッテリーパック２が充電されることがなく、より安全で確実に充電を停止または完了させることができる。
【００２９】
図２は、図１の充電装置１における充電完了後の入力電圧を満充電時の電池電圧より低くするときの動作の概念図である。
【００３０】
図２において、Ｖｂｐは、バッテリーパック２内で直列に接続されたリチウムイオン二次電池セル３，４の電池電圧であり、バッテリーパック２の開放電圧でもある。Ｖｉｎは、充電電流が流れているとき、つまり矢印３３の方向に電流が流れているときの逆流防止ダイオード１８の入力電圧である。Ｖｐｓは、Ｖｉｎを供給するのに必要な電圧で、半導体スイッチ１７がオンしているときは低く、半導体スイッチ１７がオフしているときは二次充電制御回路２２の動作に必要な最低限の電圧となる。ＶｂｐとＶｉｎの差は、逆流防止ダイオード１８での順方向電圧の差である。
【００３１】
矢印３２は、充電完了後の電流の方向で、逆流防止ダイオード１８によりリチウムイオン二次電池３，４からの逆流電流が流れないことを示している。逆流防止ダイオード１８により逆流電流が流れない場合は、半導体スイッチ１７がオフで、且つＶｉｎがＶｂｐより低い場合である。このときＶｂｐは、リチウムイオン二次電池３，４の両端の電圧つまり電池の開放電圧であり、充電中の電圧より概して低くなっている。
【００３２】
図３は、充電装置１における充電時の電圧と充電電流の変化を示す図である。
【００３３】
図３の上部のグラフは、充電時の入力電圧Ｖｉｎと電池電圧Ｖｂｐの時間変化を示している。下部のグラフは、充電時の充電電流Ｉｔの時間変化を示している。
【００３４】
時間Ｔｏが充電開始時点を示し、時間Ｔｏと時間Ｔａとの間がトリクル充電期間である。トリクル充電期間は、電池電圧Ｖｂｐが既定電圧値Ｖｂになるまでに、極めて小さな充電電流Ｉｔで充電する期間である。トリクル充電期間での極めて小さな充電電流とは、バッテリーパック２の容量が例えば１０００［ｍＡｈ］の場合は、０．２倍（２００［ｍＡ］）以下の電流値である。
【００３５】
電池電圧Ｖｂｐが既定電圧値Ｖｂに達すると、充電電流値をＩａへ増加してさらに充電を行う。時間Ｔａから時間Ｔｂまでの間を通常電流充電期間と呼ぶ。通常電流充電期間では、充電電流Ｉｔを定電流値Ｉａにして充電される。
【００３６】
時間Ｔｂ以降は、満充電電圧でリミットをかけた充電電圧で充電するため、電池セル内のリチウムイオンの移動量が少なくなり、充電電流Ｉｔが徐々に減少する。時間Ｔｂから時間Ｔｃまでを充電電流減少期間と呼ぶ。充電期間は、時間Ｔｏから時間Ｔｃまでの間であり、電池電圧Ｖｂｐが上昇して充電が進んでいることを示す。
【００３７】
Ｖｉｎは、逆流防止ダイオード１８の入力側の直流電圧を示し、電池電圧Ｖｂｐに対して逆流防止ダイオード１８の順方向電圧分高くなっている。しかし、時間Ｔｃの時点では充電完了に近く、充電電流Ｉｔは既定電流値Ｉｂと小さくなっており、逆流防止ダイオード１８の順方向電圧も小さくなり、電池電圧Ｖｂｐと入力電圧Ｖｉｎが同じ電圧、すなわち満充電電圧になる。
【００３８】
従来の充電装置では、充電完了後も入力電圧Ｖｉｎを既定電圧値Ｖａに低減しないので、半導体スイッチ１７がオフしても、実際は、約１００ＫΩ程度の抵抗値が接続された状態であり、ＶｉｎとＶｂｐに差があり、充電電流が小さくなるだけである。そのため、充電完了後にバッテリーパックが充電装置に取り付けられたままでは、満充電状態にあるバッテリーパックに更に充電されるため、電池内部の高電位により電解液分解が発生するおそれがある。また、環境温度が高い（例えば、４５℃以上）場合は、電解液分解がさらに起き易く、不可逆の電池容量劣化や内部圧力の上昇が起きる可能性がある。
【００３９】
本実施の形態の充電装置では、充電完了の時間Ｔｃ（満充電）以降、入力電圧Ｖｉｎを既定電圧値Ｖａに低減して電池電圧Ｖｂｐとの電位差３８を確保する。入力電圧Ｖｉｎを既定電圧値Ｖａまで下げることで充電電流Ｉｔを無くすことができ、充電完了後にバッテリーパックが充電装置に取り付けられたままでも当該バッテリーパックの電池劣化を防止することができる。
【００４０】
図４は、充電装置１により実行される充電処理のフローチャートである。
【００４１】
図４において、バッテリーパック２が充電装置１に装着されると（ステップＳ１）、二次充電制御回路２２は、バッテリーパック２内のサーミスタ８との接続を検知する（ステップＳ２）。
【００４２】
次に、ステップＳ３では、上述した小さな充電電流で充電するトリクル充電を行い、定電流−定電圧充電である通常電流充電が可能か否かを判断する。通常電流充電ができない場合は、トリクル充電期間が終わるまで処理を繰り返す。一方、通常電流充電が可能になったときは、通常電流充電として定電流−定電圧充電を開始する（ステップＳ４）。
【００４３】
ステップＳ５では、電池電圧Ｖｂｐが既定電圧値Ｖａ未満のときは、ステップＳ４へ戻る一方、電池電圧Ｖｂｐが既定電圧値Ｖａ以上になったときはステップＳ６へ進む。ステップＳ６では、充電電流Ｉｔが既定電流Ｉｂを超える場合は、ステップＳ３へ戻る一方、既定電流Ｉｂ以下の場合はステップＳ７へ進み、充電完了とする。
【００４４】
ステップＳ８では、半導体スイッチ１７をオフにすると共に、Ｖｐｓを下げるように、一次スイッチング制御回路２８をフィードバック制御することで、入力電圧Ｖｉｎを既定電圧値Ｖａにする。ステップＳ９では、入力電圧Ｖｉｎが電池電圧Ｖｂｐ以下か否かを判断し、Ｖｂｐを超える場合は、入力電圧Ｖｉｎを電池電圧Ｖｂｐ以下にして（ステップＳ１０）、本処理を終了する。一方、ステップＳ９において、入力電圧Ｖｉｎが電池電圧Ｖｂｐ以下の場合は、そのまま本処理を終了する。
【００４５】
上記第１の実施形態によれば、二次充電制御回路２２が、バッテリーパック２への充電が完了したときに、半導体スイッチ１７をオフにすると共に、半導体スイッチ１７の入力側の電圧を下げるように、一次スイッチング制御回路２８をフィードバック制御する。これにより、バッテリーパックが充電完了後に充電装置に取り付けたままでも、当該バッテリーパックの電池劣化を防止することができる。
【００４６】
［第２の実施形態］
図５は、本発明の第２の実施形態に係る充電装置と該充電装置に装着可能なバッテリーパックの回路構成の一例を示す概略図である。なお、上記第１の実施形態と同一の構成要素には同一の符号を付してその説明を省略する。
【００４７】
図５において、充電装置６６は、充電装置１と同様にバッテリーパック２が装着可能に構成されているが、ＡＣ電源に代えてカーバッテリー等のＤＣ電源から直流電力の供給を受ける充電装置である。
【００４８】
充電装置６６における充電回路は、フィルタ６７、抵抗器６８を通した直流電力によりスイッチング制御回路６９が起動すると、該スイッチング制御回路６９が半導体スイッチ７０をスイッチングする。半導体スイッチ７０がスイッチングすると、整流回路７１と励起コイル７２で電圧変換が行われ、平滑コンデンサ７３で充電に必要なＶｐｓの直流電力が作られる。Ｖｐｓは、半導体スイッチ１７の前の直流電圧である。Ｖｐｓの直流電力により、基準電圧回路１９及び二次充電制御回路２２が起動する。
【００４９】
バッテリーパック２が充電装置６６に装着されると、二次充電制御回路２２がサーミスタ８の接続を検知し、半導体スイッチ１７がオンして、半導体スイッチ１７に接続された逆流防止ダイオード１８を通してバッテリーパック２に直流電力を供給される。本実施の形態では、フィルタ６７から半導体スイッチ１７までの回路が直流電力生成手段に相当する。
【００５０】
抵抗器２０と抵抗器２１により分割される電圧は、バッテリーパック２に加わる充電電圧の分割電圧である。この分割電圧は、二次充電制御回路２２により監視されている。バッテリーパック２に供給される充電電流は、抵抗器２３の両端電圧を検知することで二次充電制御回路２２により監視されている。二次充電制御回路２２は、これら充電電圧と充電電流により、バッテリーパック２の充電状態を判断し、スイッチング制御回路６９へフィードバックする信号のパルス幅を変化させている。また、二次充電制御回路２２は、ＬＥＤで構成された表示部（不図示）に接続し、バッテリーパック２の充電状態をＬＥＤの点滅、点灯で表示させる。
【００５１】
充電完了の判断は、充電電圧と充電電流の変化で行われる。二次充電制御回路２２は、充電電圧が既定電圧以上で充電電流が既定電流以下になったとき、充電完了になったと判断する。二次充電制御回路２２が充電完了と判断すると、半導体スイッチ１７をオフにして、半導体スイッチ１７の前の直流電圧Ｖｐｓを下げるように、スイッチング制御回路６９をフィードバック制御する。これにより、逆流防止ダイオード１８の入力側の電圧Ｖｉｎを規定電圧値Ｖａに下げる。二次充電制御回路２２は、スイッチング制御回路６９を制御し、必要な最低電圧に制御する。
【００５２】
上記第２の実施形態によれば、二次充電制御回路２２が、バッテリーパック２への充電が完了したときに、逆流防止ダイオード１８の入力側の電圧を下げるように、スイッチング制御回路６９をフィードバック制御する。これにより、上記第１の実施形態と同様の効果が得られると共に、充電装置６６の待機電力を抑えることも可能になる。
【００５３】
［第３の実施形態］
図６は、本発明の第３の実施形態に係る充電装置と該充電装置に装着可能なバッテリーパックの回路構成の一例を示す概略図である。なお、上記第１及び第２の実施形態と同一の構成要素には同一の符号を付してその説明を省略する。
【００５４】
充電装置１００は、図示のように、充電装置１に対して、抵抗器３０と半導体スイッチ３１から成る直列回路が追加された充電回路構成を有している。抵抗器３０と半導体スイッチ３１から成る直列回路は、半導体スイッチ１７と逆流防止ダイオード１８の接続点からバッテリーパック２の負極に接続されるラインとの間に設けられている。
【００５５】
本実施の形態の充電装置では、充電完了後に入力電圧Ｖｉｎを満充電時の電池電圧Ｖｂｐより低くする動作が、抵抗器３０と半導体スイッチ３１とから成る直列回路で行われる。
【００５６】
二次充電制御回路２２が充電完了と判断すると、半導体スイッチ１７をオフにする。それから半導体スイッチ３１をオンにして、抵抗器３０が半導体スイッチ１７と逆流防止ダイオード１８の接続点の入力電圧Ｖｉｎをバッテリーパック２の電池電圧Ｖｂｐより低くすることでバッテリーパック２を過充電しないようにしている。
【００５７】
入力電圧Ｖｉｎの低減は、半導体スイッチ１７のオフ時の高インピーダンスと抵抗器３０の抵抗値の分割比で決められる。
【００５８】
上記第３の実施の形態によれば、従来のＡＣ電源によりバッテリーパックに充電する充電装置に、抵抗器３０と半導体スイッチ３１から成る直列回路を付加することで、上記第１の実施の形態と同じ効果が得られる。
【００５９】
［第４の実施形態］
図７は、本発明の第４の実施形態に係る充電装置と該充電装置に装着可能なバッテリーパックの回路構成の一例を示す概略図である。なお、上記第１〜第３の実施形態と同一の構成要素には同一の符号を付してその説明を省略する。
【００６０】
充電装置２００は、カーバッテリー等のＤＣ電源に接続し、該ＤＣ電源から直流電力の供給を受ける充電装置であり、図示のように、充電装置６６に対して、抵抗器３０と半導体スイッチ３１から成る直列回路が追加された充電回路構成を有している。抵抗器３０と半導体スイッチ３１から成る直列回路は、半導体スイッチ１７と逆流防止ダイオード１８の接続点からバッテリーパック２の負極に接続されるラインとの間に設けられている。
【００６１】
本実施の形態では、充電完了後に入力電圧Ｖｉｎを満充電時の電池電圧Ｖｂｐより低くする動作が、抵抗器３０及び半導体スイッチ３１で行われる。
【００６２】
二次充電制御回路２２が充電完了と判断すると、半導体スイッチ１７をオフにする。それから半導体スイッチ３１をオンにして、抵抗器３０が半導体スイッチ１７と逆流防止ダイオード１８の接続点の入力電圧Ｖｉｎをバッテリーパック２の電池電圧Ｖｂｐより低くすることでバッテリーパック２を過充電しないようにしている。
【００６３】
入力電圧Ｖｉｎの低減は、半導体スイッチ１７のオフ時の高インピーダンスと抵抗器３０の抵抗値の分割比で決められる。
【００６４】
本第４の実施の形態によれば、従来のＤＣ電源によりバッテリーパックに充電する充電装置に、抵抗器３０と半導体スイッチ３１から成る直列回路を付加することで、上記第１の実施の形態と同じ効果が得られる。
【００６５】
上記各実施の形態で説明した半導体スイッチ１７及び逆流防止ダイオード１８をＦＥＴ等の寄生ダイオードのある電子素子で構成した場合でも同様の効果が得られる。また、上記第３及び第４の実施の形態における半導体スイッチ３１のオンまたはオフの制御は、二次充電制御回路２２の半導体スイッチ１７の制御出力端子とは別の出力端子で行われている。しかし、これに限らず、半導体スイッチ１７の制御と同じく、二次充電制御回路２２の半導体スイッチ１７の制御出力を使用して同時に制御する構成にしてもよい。
【図面の簡単な説明】
【００６６】
【図１】本発明の第１の実施形態に係る充電装置と該充電装置に装着可能なバッテリーパックの回路構成の一例を示す概略図である。
【図２】図１の充電装置における充電完了後の入力電圧を満充電時の電池電圧より低くするときに動作の概念図である。
【図３】充電装置における充電時の電圧と充電電流の変化を示す図である。
【図４】充電装置により実行される充電処理のフローチャートである。
【図５】本発明の第２の実施形態に係る充電装置と該充電装置に装着可能なバッテリーパックの回路構成の一例を示す概略図である。
【図６】本発明の第３の実施形態に係る充電装置と該充電装置に装着可能なバッテリーパックの回路構成の一例を示す概略図である。
【図７】本発明の第４の実施形態に係る充電装置と該充電装置に装着可能なバッテリーパックの回路構成の一例を示す概略図である。
【符号の説明】
【００６７】
１  充電装置
２  バッテリーパック
３，４  リチウムイオン二次電池セル
８  サーミスタ
１４  トランス
１７  半導体スイッチ
１８  逆流防止ダイオード
２２  二次充電制御回路
２５  フォトカプラ
２８  一次スイッチング制御回路
【図１】
2009017648.tif 000003
【図２】
2009017648.tif 000004
【図３】
2009017648.tif 000005
【図４】
2009017648.tif 000006
【図５】
2009017648.tif 000007
【図６】
2009017648.tif 000008
【図７】
2009017648.tif 000009